(57)【要約】【課題】簡単な構成により、トイレットペーパの引き出し時および裁断時での蓋の不用意な開放を確実に防止することができる構成を備えたトイレットぺーパホルダを提供すること。【解決手段】トイレットペーパＴＰの軸方向両端を支持する側壁１Ｂ，１Ｂ’および回動した際に上記トイレットペーパＴＰの周面に当接可能な蓋３を備えたトイレットペーパホルダにおいて、上記側壁の一方１Ｂには、その一部に摺動可能な操作部材２が備えられ、該操作部材２は、摺動方向に対応して上記蓋３がトイレットペーパＴＰの周面を押圧した状態に維持される態位と押圧状態が解除される態位とに選択可能であることを特徴とする。【選択図】    図２
2005131208.tif 000002
【特許請求の範囲】
【請求項１】
トイレットペーパの軸方向両端を支持する側壁および回動した際に上記トイレットペーパの周面に当接可能な蓋を備えたトイレットペーパホルダにおいて、
上記側壁の一方には、その一部に摺動可能な操作部材が備えられ、該操作部材は、摺動方向に対応して上記蓋がトイレットペーパの周面を押圧した状態に維持される態位と押圧状態が解除される態位とに選択可能であることを特徴とするトイレットペーパホルダ。
【請求項２】
請求項１記載のトイレットペーパホルダにおいて、
上記側壁の一方には、側壁本体内に嵌め込まれて前後に移動可能な操作部材を備え、
上記蓋には、回動支点から上記トイレットペーパの周面に向け延長されて延長端部に裁断用の刃が形成されているカバー部と、上記回動支点を中心として上記カバー部とは異なる方向に延長された作動部とが設けられ、
上記操作部材と上記蓋側の作動部とが対向した状態で連動関係を設定されていることを特徴とするトイレットペーパホルダ。
【請求項３】
請求項１または２記載のトイレットペーパホルダにおいて、
上記蓋は、延長端部が上記トイレットペーパの周面から離れる向きに回動する習性を持ち、上記操作部材に押し動かされることによりその習性に抗して上記トイレットペーパの周面に対向する状態が維持されることを特徴とするトイレットペーパホルダ。
【請求項４】
トイレットペーパの軸方向両端を支持する側壁および回動した際に上記トイレットペーパの周面に当接可能な蓋部材を備えたトイレットペーパホルダにおいて、
上記側壁における一方に設けられて変位可能な操作部と、
上記側壁における一方で上記操作部に対向して配置され、該操作部の変位に連動して少なくとも上記蓋の上方に張り出すことにより該蓋の回動を阻止する構成を備えたことを特徴とするトイレットペーパホルダ。
【請求項５】
請求項４記載のトイレットペーパホルダにおいて、
上記操作部は上記側壁の一方に対して着脱可能な支持部材に設けられ、該支持部材には、操作部の変位に連動して上記蓋の上面側に進退可能な係止部材が設けられていることを特徴とするトイレットペーパホルダ。
【発明の詳細な説明】
【技術分野】
【０００１】
本発明は、トイレットペーパホルダに関し、さらに詳しくは、トイレットペーパ引き出しおよび裁断時での操作性を向上させるための構成に関する。
【背景技術】
【０００２】
周知のように、トイレットペーパホルダには、トイレットペーパの芯材内に支軸を通し、その支軸をホルダ本体の両側壁に装着することによりトイレットペーパを回転自在に支持する構成（例えば、特許文献１）、あるいは、トイレットペーパの芯材側端に対してホルダ本体の両側壁に設けられた起倒可能な支持部材を差し込んだ状態でトイレットペーパを回転自在に支持する構成（例えば、特許文献２）がある。
【０００３】
ところで、トイレットペーパは、必要長さ分だけ引き出した後、切り取ることで使用されるが、従来、ぺーパの裁断にはホルダ本体に設けてある蓋およびこれの端縁に形成された刃を用いることが多い。  
トイレットペーパの引き出しと裁断に際しては、引き出しの際に生じるペーパの慣性移動による弛みを防止したり、裁断時において不用意に蓋が持ち上がらないようにすることが必要となる。そこで、一般には、引き出した後の裁断時には蓋を人手により押さえることが多い。
【０００４】
しかし、蓋を押さえて裁断する際には、両方の手を用いることとなり、両方の手が使えない場合やトイレットペーパホルダの取り付け位置に向けた姿勢変更ができない場合にはきわめて不便となる。
【０００５】
従来では、特許文献１に開示されているように、蓋の端縁に設けてある刃の移動軌跡を常にトイレットペーパの周面上に位置させることにより、刃の位置がペーパ周面から離れることを原因として発生する刃先への裁断力が蓋の回転力に変化してしまうのを防止するようにした構成、あるいは、特許文献２に開示されているように、ホルダ本体の側壁に設けられて水平面内で回転可能かつ昇降可能な押さえ部材を設け、蓋を押すことにより蓋の回動を防止するようにした構成がある。
【０００６】
【特許文献１】特開２００１−２１８６９号公報
【特許文献２】特開２００２−４５３０５号公報
【発明の開示】
【発明が解決しようとする課題】
【０００７】
しかし、上記特許文献１に開示されている構成では、刃先が当たるペーパの接線方向への力を作用させる場合には接線方向でペーパの周面に当接している蓋の回動が阻止可能であるものの、裁断の際の力の作用方向によっては蓋が開放してしまうため、確実な蓋の開放防止には両手が必要となる虞がある。  
一方、特許文献２に開示された構成では、ホルダ本体の側壁に押さえ部材を回転支持および昇降支持するための構成が必要となり、ホルダ自体の重量増加や構成の複雑化を招く虞がある。
【０００８】
本発明の目的は、上記従来のトイレットペーパホルダにおける問題に鑑み、簡単な構成により、トイレットペーパの引き出し時および裁断時での蓋の不用意な開放を確実に防止することができる構成を備えたトイレットぺーパホルダを提供することにある。
【課題を解決するための手段】
【０００９】
請求項１記載の発明は、トイレットペーパの軸方向両端を支持する側壁および回動した際に上記トイレットペーパの周面に当接可能な蓋を備えたトイレットペーパホルダにおいて、上記側壁の一方には、その一部に摺動可能な操作部材が備えられ、該操作部材は、摺動方向に対応して上記蓋がトイレットペーパの周面を押圧した状態に維持される態位と押圧状態が解除される態位とに選択可能であることを特徴としている。
【００１０】
請求項２記載の発明は、請求項１記載の発明に加えて、上記側壁の一方には、側壁本体内に嵌め込まれて前後に移動可能な操作部材を備え、上記蓋には、回動支点から上記トイレットペーパの周面に向け延長されて延長端部に裁断用の刃が形成されているカバー部と、上記回動支点を中心として上記カバー部とは異なる方向に延長された作動部とが設けられ、上記操作部材と上記蓋側の作動部とが対向した状態で連動関係を設定されていることを特徴としている。
【００１１】
請求項３記載の発明は、請求項１または２記載の発明に加えて、上記蓋は、延長端部が上記トイレットペーパの周面から離れる向きに回動する習性を持ち、上記スライド部材に押し動かされることによりその習性に抗して上記トイレットペーパの周面に対向する状態が維持されることを特徴としている。
【００１２】
請求項４記載の発明は、トイレットペーパの軸方向両端を支持する側壁および回動した際に上記トイレットペーパの周面に当接可能な蓋部材を備えたトイレットペーパホルダにおいて、上記側壁における一方に設けられて押し動かし可能な操作部と、上記側壁における一方で上記操作部に対向して配置され、該操作部の押し動かし動作に連動して上記蓋の上方に張り出すことにより該蓋の回動を阻止する構成を備えたことを特徴としている。
【００１３】
請求項５記載の発明は、請求項４記載の発明に加えて、上記操作部は上記側壁の一方に対して着脱可能な支持部材に設けられ、該支持部材には、操作部の押し動かし動作に連動して上記蓋の上面側に進退可能な係止部材が設けられていることを特徴としている。
【発明の効果】
【００１４】
請求項１記載の発明によれば、ホルダの側壁の一方に設けられている操作部材が摺動するのに対応して蓋がトイレットペーパの周面に対して押圧状態を維持できるので、操作部材をスライドさせるだけの簡単な操作によりトイレットペーパの裁断時に蓋が不用意に回動するのを阻止して片手によるトイレットペーパの引き出しおよび裁断が可能となる。
【００１５】
請求項２および３記載の発明によれば、側壁に装備されている前後に摺動可能な操作部材と蓋側に設けられている作動部とが対向させてあり、操作部材により作動部を連動させる関係とすることにより蓋をトイレットペーパの周面に向けて移動させた状態を保持できるので、不用意に蓋が回動するのを防止して片手によるトイレットペーパの引き出しおよび裁断を行うことが可能となる。
【００１６】
特に請求項３記載の発明においては、通常、トイレットペーパから離れる向きの習性が与えられた蓋が、これに設けてある作動部を操作部材によって押し動かされることにより回動を阻止されるので、操作部材による作動部への押し動かしを解除すると、蓋はトイレットペーパの周面から自動的に離れることになり、トイレットペーパの補充の際の邪魔にならないようにすることができる。
【００１７】
請求項４および５記載の発明によれば、側壁の一方に設けられて押し動かされる操作部と、この操作部に対向して押し動かし動作に連動することにより蓋の上方に張り出すことができる構成を備えているので、側壁の一方での操作部の押し動かし操作のみで蓋の不用意な回動を阻止してトイレットペーパの引き出しおよび裁断を行うことができる。
【００１８】
特に、請求項５記載の発明においては、操作部および蓋の上面側に対して進退可能な係止部材が側壁の一方に対して着脱できるので、既存のホルダを対象として後付により片手操作の可能な構成を提供することが可能となる。
【発明を実施するための最良の形態】
【００１９】
以下、実施例により本発明の最良の形態について説明する。
【実施例】
【００２０】
図１は、本実施例によるトイレットペーパホルダの一部を透視した外観図である。  同図においてトイレットペーパホルダ１は、平面視形状がチャンネル状とされた樹脂製品であり、基部１Ａと、その長手方向、つまりトイレットペーパ（便宜上、符号ＴＰで示す）の軸方向両側に位置する側壁１Ｂ，１Ｂ’とを備えている。
【００２１】
一方の側壁１Ｂは、その一部が摺動できる構成とされており、そのための構成として、側壁１Ｂを断面矩形の箱形とし、その内部空間には、嵌め込まれることにより前後に移動可能なスライド部材で構成された操作部材２が装填されている。
【００２２】
操作部材２が装填されている側の側壁１Ｂを含めて側壁１Ｂ，１Ｂ’間には、操作部材２に対向する作動部３Ａを備えた蓋３が回動自在に支持されている。  蓋３は、基部に有する支軸３Ｂを側壁の内部に進入させることにより回転自在に支持されており、回動支点となる支軸３Ｂを基準としてトイレットペーパＴＰの周面に向けて張り出すカバー部３Ｃとカバー部３Ｃとは異なる位置、つまり、本実施例では、操作部材２に対向する位置に張り出している作動部３Ａとが設けられている。
【００２３】
蓋３の支軸３Ｂを側壁１Ｂの内部に進入させる構成としては、側壁１Ｂにおける内側面を着脱可能に設け、その一部に支軸３Ｂが入り込むことのできるスリットを設けておき、支軸３Ｂを側壁１Ｂの内部に位置させて作動部３Ａが操作部材２に対向するように位置決めしてスリット内に支軸３Ｂを落とし込んだ後、内側面を締結するような構成が用いられる。
【００２４】
内側面を締結する際には、トイレットペーパＴＰの周面から遠ざかる位置に蓋３を開放して締結部を露呈させることにより内側面を締結する際に用いられるドライバの位置決め作業の邪魔にならないようにする。
【００２５】
操作部材２と対向する作動部３Ａを備えた蓋３は、図示しないが支軸３Ｂに巻かれた弦巻バネによって、常時トイレットペーパＴＰの周面からカバー部３Ｃが離れる向きの移動習性、つまり開放する習性が与えられている。
【００２６】
一方の側壁１Ｂには、操作部材２を摺動した位置に保持するための構成が設けられており、その構成は図２に示されている。  
図２は、操作部材２の挿嵌部の構成を説明するための模式図であり、同図において操作部材２には、その側面に板バネ４が固定され、板バネ４には、操作部材２に固定されている基部から延長された端部に湾曲部４Ａが形成されている。
【００２７】
板バネ４に対向する側壁１Ｂの内面には、板バネ４の湾曲部４Ａが入り込むことができる凹部１Ｂ１，１Ｂ２が操作部材２の移動方向に沿って設けられている。  
凹部１Ｂ１，１Ｂ２は操作部材２の摺動位置を決めるための構成であり、符号１Ｂ１で示す凹部は操作部材２が一方の側壁１Ｂから引き出された位置決め部として、また、符号１Ｂ２で示す凹部は操作部材２が一方の側壁１Ｂの内部に向けて押し動かされて押し込まれた時の位置決め部としてそれぞれ配置されている。  
一方の側壁１Ｂ内部に向けて操作部材２が押し動かされた場合には、操作部材２に対向している蓋３の作動部３Ａが弦巻バネによる習性に抗してカバー部３ＢをトイレットペーパＴＰの周面に向けて移動させることができ、しかも、その状態は、板バネ４の湾曲部４Ａが側壁１Ｂの凹部１Ｂ２に嵌合することにより維持される。
【００２８】
本実施例は以上のような構成であるから、トイレットペーパＴＰがトイレットペーパホルダ１に装填された状態において、捜査部材２がその摺動方向に対応して蓋３がトイレットペーパＴＰに押圧された状態を維持する場合とその状態を解除する場合とが設定することができる。つまり、操作部材２が一方の側壁１Ｂ内に向けて押し込まれると、操作部材２に有する板バネ４の湾曲部４Ａが側壁内部の凹部１Ｂ１の位置から外れて移動し、図２において符号１Ｂ２で示す凹部に入り込むことができる。これにより、操作部材２に対向している蓋３の作動部３Ｂは、弦巻バネによる習性、つまり、トイレットペーパＴＰの周面からカバー部３Ｂが離れる習性に抗してトイレットペーパＴＰの周面にカバー部３Ｂが当接する向きに回動する。
【００２９】
この回動した状態は、操作部材２側の板バネ４に設けた湾曲部４Ａと側壁内の凹部１Ｂ２との嵌合により維持される。
【００３０】
一方、操作部材２を一方の側壁１Ｂから外側に向けて引き出すと、板バネ４の湾曲部４Ａが側壁内の凹部１Ｂ１に嵌合することができる。これにより、蓋３の作動部３Ｂは操作部材２による押し動かしが解除された状態となり、弦巻バネによる習性によってトイレットペーパＴＰの周面からカバー部３Ｂが離れる向きに回動される。  
この状態では、カバー部３Ｂが開放された状態となり、トイレットペーパＴＰの補充を妨げないようにできる。
【００３１】
本実施例によれば、捜査部材２がその摺動方向に対応して蓋３によるトイレットペーパＴＰへの押圧状態を維持することができ、既存のトイレットペーパホルダに対して一方の側壁をその一部の構成変更のみで蓋の不用意な開放を防止できることになる。これにより、トイレットペーパホルダとは別に特別な蓋開放防止構造を設けなくても片手によるトイレットペーパの引き出しおよび裁断操作を可能にすることができる。
【００３２】
次に本発明の別実施例について説明する。  
本実施例の特徴は、既存のトイレットペーパホルダに対して簡単な構成を後付けできることを特徴としている。  
図３は、本実施例によるトイレットペーパホルダ１０の外観図である。  
同図においてトイレットペーパホルダ１０は、基部１０Ａとこれの幅方向両側に位置する側壁１０Ｂ，１０Ｂ’とを備えた既存構造のものを対象として、一方の側壁１０Ｂに回動阻止装置１１が取り付けられている。
【００３３】
回動阻止装置１１は、図４に示すように、トイレットペーパホルダ１０の側壁１０Ｂに嵌め込むことで側壁１０Ｂに対して着脱させることが可能な支持部材としての開口部１１Ａを備え、その開口部１１Ａの上部には突没可能な操作ボタン１２を備えている。
【００３４】
開口部１１Ａの上部は、図５に示す構成を備えている。  
図５において、開口部１１Ａの上部は作動部１１Ｂとして設けられ、作動部１１Ｂの内部には、図２に示した構成と同様に、一面に板バネ（便宜上、図２に示した符号４を用いる）を備えた操作ボタン１２と、操作ボタン１２における板バネ４の設置位置と反対側の面に設けられた作動片１２Ａと、作動片１２Ａの移動軌跡内に張り出したピン１３Ａを揺動端側に設けた揺動可能な回動阻止レバー１３と、回動阻止レバー１３の揺動端において上記ピン１３Ａよりも揺動末端側に一端が掛け止められたバネ１４とが設けられている。
【００３５】
回動阻止レバー１３は、蓋の上面に対して進退可能な係止部材として設けてあり、バネ１４の習性により図５おいて反時計方向の回動習性が与えられ、この習性に抗した力が作用することにより時計方向に回動することができる部材である。  
反時計方向への回動は、操作ボタン１２が作動部１１Ｂの内部に向けて没入した状態に相当し、そして時計方向への回動は、操作ボタン１２が作動部１１Ｂの上面から突出して蓋の上面に張り出すことができる状態に相当する。
【００３６】
これら各状態での操作ボタン１２の位置は、板バネ４の湾曲部４Ａと作動部１１Ｂ内での凹部との対向関係により維持される。
【００３７】
回動阻止レバー１３がバネ１４の習性により反時計方向に回動する場合およびバネ１４の習性に抗して時計方向に回動する場合は、それぞれ回動阻止レバー１３のピン１３Ａが操作ボタン１２側の作動片１２Ａの位置変化に連動して移動することになる。
【００３８】
図５において、操作ボタン１２が作動部１１Ｂの上面から突出されて蓋の上面に張り出す場合には、図５（Ａ）に示すように、操作ボタン１２に設けてある板バネ４の湾曲部４Ａが作動部１１Ｂの凹部の一つに嵌合するとともに、操作ボタン１２の作動片１２Ａが回動阻止レバー１３のピン１３Ａを突き上げる。
【００３９】
ピン１３Ａが作動片１２Ａにより突き上げられる時点では、板バネ４の湾曲部４Ａが凹部に嵌合していることにより回動阻止レバー１３のピン１３Ａが作動片１３Ａにより突き上げられた状態を維持される。
【００４０】
一方、操作ボタン１２が作動部１１Ｂの上面から没入される場合には、図５（Ｂ）に示すように、板バネ４の湾曲部４Ａが作動部１１Ｂ側の今ひとつの凹部に嵌合するとともに、操作ボタン１２の作動片１２Ａが回動阻止レバー１３のピン１３Ａに対する突き上げを解除する。
【００４１】
この結果、回動阻止レバー１３がバネ１４の習性を利用して反時計方向に回動した状態を維持される。
【００４２】
図５（Ａ）および（Ｂ）に示す各状態での回動阻止レバー１３の揺動端は、図６に示すように、作動部１１ＢにおけるトイレットペーパＴＰ側に対向する面に形成されたスリット１１Ｅから進出および退避することができる。
【００４３】
図５（Ａ）に示す状態では回動阻止レバー１３の揺動端がトイレットペーパＴＰの周面から遠ざかることにより蓋３の上面から離れることになり、図５（Ｂ）に示す状態では回動阻止レバー１３の揺動端がスリット１１Ｅから外側に進出して張り出し、トイレットペーパＴＰの周面に近づくことにより蓋３の上面に当接あるいは近接して蓋３の開放を阻止するようになっている。
【００４４】
本実施例は以上のような構成であるから、回動阻止装置１１は、一方の側壁１０Ｂに開口部１１Ａが嵌め込まれて装着され、開口部１１Ａの下面に設けてあるネジ１５（図４参照）により一方の側壁１０Ｂの下面を押圧することにより脱落を防止されて固定保持される。
【００４５】
側壁１０Ｂに装着された回動阻止装置１１は、操作ボタン１２の突没操作に応じて回動阻止レバー１３を蓋３の上面に対して進退させることができる。このため、操作ボタン１２を作動部１１Ｂの上面に没入させた場合には回動阻止レバー１３がその揺動端を蓋３の上面に向けて張り出させることができ、蓋３が不用意に開放しようとするのを阻止することができる。
【００４６】
操作ボタン１２を作動部１１Ｂの上面から引き上げて突出させると、回動阻止レバー１３が操作ボタン１２の作動片１２Ａによりピン１３Ａが突き上げられて蓋３の上面から遠ざかるので、蓋３の開放を許容してトイレットペーパＴＰの補充作業の邪魔にならないようにすることができる。
【００４７】
なお、図１および図３に示した構成においては、操作部材２および操作ボタン１２がそれぞれ押し動かされる際にその移動方向の両方に作用力を必要とする構成を採用しているが、本発明では、このような操作性に限るものではない。
【００４８】
例えば、押しボタンの１回操作毎に押し込まれた位置での保持およびその保持解除が可能な構成を用いて押し込まれた位置の押しボタンにより蓋３の作動片３Ａ（図２参照）を押し動かし、蓋３をトイレットペーパの周面側に回動させて保持するようにすることも可能である。
【００４９】
この場合の押しボタンの構成としては、図示しないが、押しボタンに対して押し込み方向と逆方向への移動習性を与えておくとともに、押しボタンの一部に設けられている滑動部材が当接しながら移動することが可能なループ状のガイド部を押しボタンの収容部側に設け、押しボタンが上記習性に抗して押し込まれた際に係止される部分と、再度押し込まれた際には係止が解除されてその習性に抗して押し込み方向と逆方向に移動することができる部分とをガイド部に設けた構成などが用いられる。
【図面の簡単な説明】
【００５０】
【図１】本発明の実施例によるトイレットペーパホルダの一部を透視した外観図である。
【図２】図１に示したトイレットペーパホルダに用いられる蓋の回動を阻止するための構成を説明するための模式図である。
【図３】本発明の別実施例によるトイレットペーパホルダの外観図である。
【図４】図３に示したトイレットぺーパホルダの側面図である。
【図５】図３に示したトイレットペーパホルダに用いられる回動阻止装置の要部構成を説明するための模式図であり、（Ａ）はこの装置に用いられる回動阻止レバーがトイレットペーパ側から離れている状態を、（Ｂ）は回動阻止レバーがトイレットペーパ側に向けて張り出している状態をそれぞれ示している。
【図６】図４に示した回動阻止装置の正面図である。
【符号の説明】
【００５１】
１，１０  トイレットペーパホルダ
１Ｂ，１０Ｂ  一方の側壁
１Ｂ１，１Ｂ２  凹部
２  操作部材
３  蓋
３Ａ  作動部
３Ｃ  カバー部
４  板バネ
４Ａ  湾曲部
１１  回動阻止装置
１１Ａ  開口部
１１Ｂ  作動部
１２  操作ボタン
１２Ａ  作動片
１３  回動阻止レバー
１３Ａ  ピン
ＴＰ  トイレットペーパ
【図１】
2005131208.tif 000003
【図２】
2005131208.tif 000004
【図３】
2005131208.tif 000005
【図４】
2005131208.tif 000006
【図５】
2005131208.tif 000007
【図６】
2005131208.tif 000008